(57)【要約】  衣類乾燥機は、乾燥ドラムと、乾燥ドラムを回転させるドラムモータと、乾燥ドラムに乾燥風を提供する乾燥送風機（３）とを含む。乾燥送風機（３）はスクロールケーシング（３１）と、スクロールケーシング（３１）内に設置されるファン（３２）と、ファン（３２）を回転させる乾燥モータとを含み、ドラムモータは乾燥モータと同一のモータである。該モータは正逆回転モータであり、乾燥ドラムを正、逆回転させ、ファン（３２）を正、逆回転させる。ファン（３２）が正、逆回転の２つの状況で提供する風量は相当する。乾燥ドラムは正、逆回転することができ、乾燥ドラム内の衣類をより効果的に広げることができ、乾燥効率をより高くし、乾燥はより均一である。【選択図】図４
2018531754.tif 000002
【特許請求の範囲】
【請求項１】
乾燥ドラムと、乾燥ドラムを回転させるドラムモータと、乾燥ドラムに乾燥風を提供する乾燥送風機とを含み、乾燥送風機はスクロールケーシングと、スクロールケーシング内に設置されるファンと、ファンを回転させる乾燥モータとを含み、ドラムモータは乾燥モータと同一のモータである衣類乾燥機であって、
該モータは正逆回転モータであり、乾燥ドラムを正、逆回転させ、ファンを正、逆回転させ、ファンが正、逆回転の２つの状況で提供する風量は相当することを特徴とする衣類乾燥機。
【請求項２】
乾燥送風機のスクロールケーシングは、第１筐体および第２筐体の２つの部分を含み、２つの部分はファンの軸方向に沿って結合して、スクロールケーシングを形成し、
第１筐体に、ファンの軸方向に沿った吸気口が設置され、スクロールケーシングに、ファンの径方向に沿って排気口が設置される
ことを特徴とする、請求項１に記載の衣類乾燥機。
【請求項３】
乾燥送風機におけるスクロールケーシングの第２筐体は、底プレートと、底プレートの一側面に取り付けるサイドプレートとを含み、サイドプレートは複数のインボリュート輪郭が接続してなる準円形輪郭を含み、この準円形輪郭に開口が設けられ、開口の両側は外側に向かってそれぞれ平面プレートを有し、２つの平面プレートはそれぞれ開口の両側の準円形輪郭と相接して、Ｕ状輪郭を構成し、２つの平面プレートの間は開口と通じて、スクロールケーシングの排気口を形成し；ファンは準円形輪郭内に位置する
ことを特徴とする、請求項１に記載の衣類乾燥機。
【請求項４】
乾燥送風機におけるスクロールケーシングの第２筐体は、底プレートと、底プレートの一側面に取り付けるサイドプレートとを含み、サイドプレートは円形輪郭を含み、この円形輪郭に開口が設けられ、開口の両側は外側に向かってそれぞれ平面プレートを有し、２つの平面プレートはそれぞれ開口の両側の円形輪郭と相接して、Ｕ状輪郭を構成し、２つの平面プレートの間は開口と通じて、スクロールケーシングの排気口を形成し、ファンは円形輪郭内に位置し、円形輪郭の中心に位置する
ことを特徴とする、請求項１に記載の衣類乾燥機。
【請求項５】
乾燥送風機におけるスクロールケーシングの第１筐体に、第２筐体と組み合わさるＵ状輪郭を有することを特徴とする、請求項３または４に記載の衣類乾燥機。
【請求項６】
該衣類乾燥機は凝縮機能を有する衣類乾燥機であり、凝縮器および凝縮送風機をさらに含み、凝縮送風機は凝縮器に温度を低下させる冷風を提供し、
凝縮送風機はスクロールケーシングと、スクロールケーシング内に設置されるファンと、ファンを回転させる凝縮モータとを含み、凝縮モータはドラムモータ、乾燥モータと同一のモータであり、
乾燥モータが正、逆回転するのに伴い、凝縮送風機が正、逆回転の２つの状況で提供する風量は相当することを特徴とする、請求項１〜５のいずれか１項に記載の衣類乾燥機。
【請求項７】
凝縮送風機のスクロールケーシングは、第１筐体および第２筐体の２つの部分を含み、２つの部分はファンの軸方向に沿って結合して、スクロールケーシングを形成し、第１筐体に、ファンの軸方向に沿った吸気口が設置され、スクロールケーシングに、ファンの径方向に沿って排気口が設置される
ことを特徴とする、請求項６に記載の衣類乾燥機。
【請求項８】
凝縮送風機におけるスクロールケーシングの第２筐体は、底プレートと、底プレートの一側面に取り付けるサイドプレートとを含み、サイドプレートは複数のインボリュート輪郭を接続してなる準円形輪郭を含み、この準円形輪郭に開口が設けられ、開口の両側は外側に向かってそれぞれ平面プレートを有し、２つの平面プレートはそれぞれ開口の両側の準円形輪郭と相接して、Ｕ状輪郭を構成し、２つの平面プレートの間は開口と通じて、スクロールケーシングの排気口を形成し；ファンは準円形輪郭内に位置する
ことを特徴とする、請求項７に記載の衣類乾燥機。
【請求項９】
凝縮送風機におけるスクロールケーシングの第２筐体は、底プレートと、底プレートの一側面に取り付けるサイドプレートとを含み、サイドプレートは円形輪郭を含み、この円形輪郭に開口が設けられ、開口部分から外側に向かって２つの平面プレートを有し、それぞれ開口の両側の円形輪郭と相接して、Ｕ状輪郭を形成し、２つの平面プレートの間はスクロールケーシングの排気口を形成し、ファンは円形輪郭内に位置し、円形輪郭の中心に位置することを特徴とする、請求項７に記載の衣類乾燥機。
【請求項１０】
凝縮送風機におけるスクロールケーシングの第１筐体に、第２筐体と組み合わさるＵ状輪郭を有することを特徴とする、請求項８または９に記載の衣類乾燥機。
【発明の詳細な説明】
【技術分野】
【０００１】
本発明は衣類乾燥機に関し、衣類乾燥機の分野に属する。
【背景技術】
【０００２】
衣類乾燥機のおおよその循環方式は次の通りである。モータが乾燥送風機を回転させ、衣類乾燥機内部の空気を流動させて風道中で風を形成する。常温下の風は加熱されて乾燥した熱風に変化した後、乾燥ドラム中に進入してドラム内の湿った衣類と接触し、衣類の水分を引き込み、ドラム内の衣類が乾燥するまで続ける。風の効果的な循環が衣類乾燥機の動作効率に与える影響は大きいことがわかり、風の形成は、乾燥送風機１のファン１２がスクロールケーシング１１中で回転し、空気に風圧を生じさせた後、風路に進入させて循環が開始される。
【０００３】
図１、２に示すように、従来の衣類乾燥機における乾燥ドラム、乾燥送風機１のファンは、いずれも単一方向で回転し、提供する有効な気流方向は単一方向である。乾燥送風機１のファンおよびスクロールケーシング１１形状の設計は、インボリュートの原則に基づいており、ファン１２の回転方向はスクロールケーシングの舌部に接近する方向に回転する（該ファンの回転方向が反時計回りであることを図示する）。乾燥ドラムが単一方向に回転することにより、ドラム内の衣類は相互に絡まり、完全に広がることができず、乾燥効率は比較的低くなる。乾燥の均一度は理想的な状態を達成せず、衣類の乾燥が不均一である。
【０００４】
このことを考慮して、特に本発明を示す。
【発明の概要】
【発明が解決しようとする課題】
【０００５】
本発明が解決しようとする技術的問題は、既存技術の不足を克服することであり、乾燥ドラム、乾燥送風機がいずれも正、逆回転することができ、乾燥効率および衣類乾燥の均一度を高めた衣類乾燥機を提供する。
【課題を解決するための手段】
【０００６】
上記技術的問題を解決するため、本発明が採用する技術案の基本的構想は以下の通りである。
衣類乾燥機は、乾燥ドラムと、乾燥ドラムを回転させるドラムモータと、乾燥ドラムに乾燥風を提供する乾燥送風機とを含む。乾燥送風機はスクロールケーシングと、スクロールケーシング内に設置されるファンと、ファンを回転させる乾燥モータとを含み、ドラムモータは乾燥モータと同一のモータである。該モータは正逆回転モータであり、乾燥ドラムを正、逆回転させ、ファンを正、逆回転させる。ファンが正、逆回転の２つの状況で提供する風量は相当する。
【０００７】
さらに、乾燥送風機のスクロールケーシングは、第１筐体および第２筐体の２つの部分を含み、２つの部分はファンの軸方向に沿って結合して、スクロールケーシングを形成する。第１筐体に、ファンの軸方向に沿った吸気口が設置され、スクロールケーシングに、ファンの径方向に沿って排気口が設置される。
【０００８】
さらに、乾燥送風機におけるスクロールケーシングの第２筐体は、底プレートと、底プレートの一側面に取り付けるサイドプレートとを含む。サイドプレートは複数のインボリュート輪郭が接続してなる準円形輪郭を含み、この準円形輪郭に開口が設けられる。開口の両側は外側に向かってそれぞれ平面プレートを有し、２つの平面プレートはそれぞれ開口の両側の準円形輪郭と相接して、Ｕ状輪郭を構成する。２つの平面プレートの間は開口と通じて、スクロールケーシングの排気口を形成し；ファンは準円形輪郭内に位置する。
【０００９】
さらに、乾燥送風機におけるスクロールケーシングの第２筐体は、底プレートと、底プレートの一側面に取り付けるサイドプレートとを含む。サイドプレートは円形輪郭を含み、この円形輪郭に開口が設けられる。開口の両側は外側に向かってそれぞれ平面プレートを有し、２つの平面プレートはそれぞれ開口の両側の円形輪郭と相接して、Ｕ状輪郭を構成する。２つの平面プレートの間は開口と通じて、スクロールケーシングの排気口を形成し、ファンは円形輪郭内に位置し、円形輪郭の中心に位置する。
【００１０】
さらに、乾燥送風機におけるスクロールケーシングの第１筐体に、第２筐体と組み合わさるＵ状輪郭を有する。
【００１１】
さらに、該衣類乾燥機は凝縮機能を有する衣類乾燥機であり、凝縮器および凝縮送風機をさらに含み、凝縮送風機は凝縮器に温度を低下させる冷風を提供する。凝縮送風機はスクロールケーシングと、スクロールケーシング内に設置されるファンと、ファンを回転させる凝縮モータとを含み、凝縮モータはドラムモータ、乾燥モータと同一のモータである。乾燥モータが正、逆回転するのに伴い、凝縮送風機が正、逆回転の２つの状況で提供する風量は相当する。
【００１２】
さらに、凝縮送風機のスクロールケーシングは、第１筐体および第２筐体の２つの部分を含み、２つの部分はファンの軸方向に沿って結合して、スクロールケーシングを形成する。第１筐体に、ファンの軸方向に沿った吸気口が設置され、スクロールケーシングに、ファンの径方向に沿って排気口が設置される。
【００１３】
さらに、凝縮送風機におけるスクロールケーシングの第２筐体は、底プレートと、底プレートの一側面に取り付けるサイドプレートとを含む。サイドプレートは複数のインボリュート輪郭が接続してなる準円形輪郭を含み、この準円形輪郭に開口が設けられる。開口の両側は外側に向かってそれぞれ平面プレートを有し、２つの平面プレートはそれぞれ開口の両側の準円形輪郭と相接して、Ｕ状輪郭を構成する。２つの平面プレートの間は開口と通じて、スクロールケーシングの排気口を形成し；ファンは準円形輪郭内に位置する。
【００１４】
さらに、凝縮送風機におけるスクロールケーシングの第２筐体は、底プレートと、底プレートの一側面に取り付けるサイドプレートとを含む。サイドプレートは円形輪郭を含み、この円形輪郭に開口が設けられる。開口部分から外側に向かって２つの平面プレートを有し、それぞれ開口の両側の円形輪郭と相接して、Ｕ状輪郭を形成する。２つの平面プレートの間はスクロールケーシングの排気口を形成し、ファンは円形輪郭内に位置し、円形輪郭の中心に位置する。
【００１５】
さらに、凝縮送風機におけるスクロールケーシングの第１筐体に、第２筐体と組み合わさるＵ状輪郭を有する。
【発明の効果】
【００１６】
上記技術案を採用すると、本発明は既存技術と比較して、以下の有益な効果を有する。
【００１７】
本発明の衣類乾燥機は、乾燥送風機、乾燥ドラムを含み、乾燥送風機の排気口は風道を介して乾燥ドラムの吸気口と通じる。乾燥送風機は、スクロールケーシングと、ファンと、ファンを回転させる乾燥モータとを含む。乾燥ドラム、乾燥送風機はいずれも正、逆回転することができ、同一のモータにより駆動され、コストを節約する。乾燥ドラムは正、逆回転することができるため、乾燥ドラム内の衣類をより効果的に広げることができ、これにより乾燥はより均一で、乾燥効率はより高い。
【００１８】
以下、図を組み合わせて、本発明を実施するための形態について、さらに詳細に説明する。
【図面の簡単な説明】
【００１９】
【図１】図１は、既存技術の乾燥送風機、凝縮送風機の衣類乾燥機における取付概要図である。
【図２】図２は、既存技術の乾燥送風機の衣類乾燥機における取付概要図である。
【図３】図３は、既存技術の凝縮送風機の衣類乾燥機における取付概要図である。
【図４】図４は、本発明の乾燥送風機の衣類乾燥機における取付概要図である。
【図５】図５は、図４のＣ拡大概要図である。
【図６】図６は、本発明の凝縮送風機の衣類乾燥機における取付概要図である。
【図７】図７は、図６のＢ拡大概要図である。
【図８】図８は、本発明の実施例４および６の乾燥送風機の衣類乾燥機における取付概要図である。
【図９】図９は、図８のＤ拡大概要図である。
【発明を実施するための形態】
【００２０】
既存の衣類乾燥機は、その乾燥ドラムが単一方向にしか回転することができないため、ドラム内の衣類が広がる程度は制限される。衣類が広がる程度をより良好にし、乾燥効率を高め、乾燥の均一度を上昇させることができるようにするため、本発明に記載する衣類乾燥機は、乾燥ドラム、乾燥送風機３のファンがいずれも正、逆回転することができ、ファンが正、逆回転するときに提供する風量は等しい。この構造は、乾燥ドラム、乾燥送風機を有する各種タイプの衣類乾燥機に応用することができる。
【実施例】
【００２１】
実施例１
いくつかの衣類乾燥機は、直接排出式衣類乾燥機である。衣類乾燥機が置かれた部屋の室内空気は、衣類乾燥機の吸気口から衣類乾燥機の乾燥送風機３まで吸入され、乾燥風の通路内に取り付けられた加熱装置で加熱された後、乾燥風の通路を通過して衣類乾燥機の乾燥ドラムに進入する。乾燥ドラム内の衣類を乾燥させると、衣類乾燥機の排気口を通って衣類乾燥機から排出され、上記動作を繰り返して衣類の乾燥を実現する。本発明の衣類乾燥機はこの種の衣類乾燥機でよく、衣類乾燥機は乾燥ドラムと、乾燥ドラムを回転させるドラムモータと、乾燥ドラムに乾燥風を提供する乾燥送風機とを含む。乾燥送風機はスクロールケーシングと、スクロールケーシング内に設置されるファンと、ファンを回転させる乾燥モータとを含み、ドラムモータは乾燥モータと同一のモータである。該モータは正逆回転モータであり、乾燥ドラムを正、逆回転させ、ファンを正、逆回転させる。ファンが正、逆回転の２つの状況で提供する風量は相当する。
【００２２】
この種の衣類乾燥機における乾燥送風機のスクロールケーシングは、第１筐体および第２筐体の２つの部分を含み、２つの部分はファンの軸方向に沿って結合して、スクロールケーシングを形成する。第１筐体に、ファンの軸方向に沿ったベルマウス型吸気口が設置され、スクロールケーシングに、ファンの径方向に沿って排気口が設置される。乾燥送風機におけるスクロールケーシングの第２筐体は、底プレートと、底プレートの一側面に取り付けるサイドプレートとを含む。サイドプレートは円形輪郭を含み、この円形輪郭に開口が設けられる。開口の両側は外側に向かってそれぞれ平面プレートを有し、２つの平面プレートはそれぞれ開口の両側の円形輪郭と相接して、Ｕ状輪郭を構成する。２つの平面プレートの間はスクロールケーシングの排気口を形成し、ファンは円形輪郭内に位置し、円形輪郭の中心に位置する。乾燥送風機におけるスクロールケーシングの第１筐体に、第２筐体と組み合わさるＵ状輪郭を有する。
【００２３】
実施例２
いくつかの衣類乾燥機はヒートポンプ衣類乾燥機であり、乾燥ドラムと、乾燥ドラムを回転させるドラムモータと、乾燥ドラムに乾燥風を提供する乾燥送風機とを含む。乾燥送風機および乾燥ドラムの間は、始めと終わりが通じた循環風道を介して通じ、乾燥送風機の排気口と乾燥ドラムの吸気口との間の循環風道中に熱交換器が設置される。乾燥送風機はスクロールケーシングと、スクロールケーシング内に設置されるファンと、ファンを回転させる乾燥モータとを含み、ドラムモータは乾燥モータと同一のモータである。該モータは正逆回転モータであり、乾燥ドラムを正、逆回転させ、ファンを正、逆回転させる。ファンが正、逆回転の２つの状況で提供する風量は相当する。
【００２４】
この種の衣類乾燥機における乾燥送風機のスクロールケーシングは、第１筐体および第２筐体の２つの部分を含み、２つの部分はファンの軸方向に沿って結合して、スクロールケーシングを形成する。第１筐体に、ファンの軸方向に沿ったベルマウス型吸気口が設置され、スクロールケーシングに、ファンの径方向に沿って排気口が設置される。乾燥送風機におけるスクロールケーシングの第２筐体は、底プレートと、底プレートの一側面に取り付けるサイドプレートとを含む。サイドプレートは円形輪郭を含み、この円形輪郭に開口が設けられる。開口の両側は外側に向かってそれぞれ平面プレートを有し、２つの平面プレートはそれぞれ開口の両側の円形輪郭と相接して、Ｕ状輪郭を構成する。２つの平面プレートの間はスクロールケーシングの排気口を形成し、ファンは円形輪郭内に位置し、円形輪郭の中心に位置する。乾燥送風機におけるスクロールケーシングの第１筐体に、第２筐体と組み合わさるＵ状輪郭を有する。
【００２５】
実施例３
いくつかの衣類乾燥機は凝縮機能を有する衣類乾燥機であり、この種の衣類乾燥機中には、凝縮器および凝縮送風機がさらに設置される。
【００２６】
本発明の衣類乾燥機は、乾燥ドラム、乾燥ドラムを回転させるドラムモータ、乾燥送風機３、凝縮器５、凝縮送風機４を含み、乾燥送風機３の排気口は風道を介して乾燥ドラムの吸気口と通じる。
【００２７】
乾燥ドラム、凝縮器５、乾燥送風機３は、風道を介して順番に通じ、乾燥循環風の通路を形成し、凝縮送風機４は凝縮器５に温度を低下させる冷風を提供する。乾燥循環風の通路の気体は、凝縮器５を経過した温度を低下させる冷風と相互に隔離される。
【００２８】
図４、５に示すように、乾燥送風機３はスクロールケーシング３１と、ファン３２と、ファンを回転させる乾燥モータとを含む。スクロールケーシング３１の中心軸はファン３２の中心軸と同軸であり、スクロールケーシング３１およびファン３２は、いずれも対称構造である。
【００２９】
乾燥送風機３のスクロールケーシング３１は、第１筐体および第２筐体の２つの部分を含み、２つの部分はファンの軸方向に沿って結合して、スクロールケーシングを形成する。第１筐体に、ファンの軸方向に沿ったベルマウス型吸気口が設置され、スクロールケーシングに、ファンの径方向に沿って排気口が設置される。ベルマウス型吸気口は、吸気口におけるファン側の一端の直径は小さく、ファンから離れた一端の直径は大きく、形がベルマウスに似たものを指す。
【００３０】
乾燥送風機におけるスクロールケーシング３１の第２筐体は、底プレートと、底プレートの一側面に取り付けるサイドプレートとを含む。サイドプレートは円形輪郭を含み、この円形輪郭に開口が設けられる。開口の両側は外側に向かってそれぞれ平面プレートを有し、２つの平面プレートはそれぞれ開口の両側の円形輪郭と相接して、Ｕ状輪郭を構成する。２つの平面プレートの間は、スクロールケーシングの排気口を形成し、ファン３２はＵ状輪郭内に位置し、円形輪郭の中心に位置する。
【００３１】
乾燥送風機におけるスクロールケーシングの第１筐体に、第２筐体と組み合わさるＵ状輪郭を有する。
【００３２】
乾燥送風機３におけるファン３２のファンブレードは、ストレートファンブレードである。ファンブレードはファンの径方向に沿って延伸し、ファンブレードのブレード面はファン３２の中心軸、すなわち回転軸と平行である。
【００３３】
図６、７に示すように、凝縮送風機４は、スクロールケーシング４１と、ファン４２と、ファンを回転させる凝縮モータとを含む。スクロールケーシング４１の中心軸はファン４２の中心軸と同軸であり、スクロールケーシング４１およびファン４２はいずれも対称構造である。
【００３４】
凝縮送風機４のスクロールケーシング４１は、第１筐体および第２筐体の２つの部分を含み、２つの部分はファンの軸方向に沿って結合して、スクロールケーシングを形成する。第１筐体に、ファンの軸方向に沿ったベルマウス型吸気口が設置され、スクロールケーシングに、ファンの径方向に沿って排気口が設置される。
【００３５】
凝縮送風機４におけるスクロールケーシング４１の第２筐体は、底プレートと、底プレートの一側面に取り付けるサイドプレートとを含む。サイドプレートは円形輪郭を含み、この円形輪郭に開口が設けられる。開口の両側は外側に向かってそれぞれ平面プレートを有し、２つの平面プレートはそれぞれ開口の両側の円形輪郭と相接して、Ｕ状輪郭を構成する。２つの平面プレートの間は開口と通じて、スクロールケーシングの排気口を形成し、ファンは円形輪郭内に位置し、円形輪郭の中心に位置する。凝縮送風機４におけるスクロールケーシング４１の第１筐体に、第２筐体と組み合わさるＵ状輪郭を有する。
【００３６】
凝縮送風機４におけるファン４２のファンブレードは、ストレートファンブレードである。ファンブレードはファン４２の径方向に沿って延伸し、ファンブレードのブレード面はファン４２の中心軸と平行である。
【００３７】
本発明中の凝縮送風機は、凝縮器および凝縮送風機を有する既存の衣類乾燥機の凝縮送風機と異なる。既存のこの種の衣類乾燥機では、図３に示すように、凝縮送風機２のファンおよびスクロールケーシング２１形状の設計が、インボリュートの原則に基づいており、方向はファン２２の回転方向と一致する。
【００３８】
凝縮器および乾燥送風機間の乾燥循環風の通路中に、加熱装置が設置される。
【００３９】
衣類乾燥機の装置における複雑さの程度を低下させ、さらにエネルギー消費を低下させるため、凝縮モータはドラムモータ、乾燥モータと同一のモータである。これにより乾燥ドラム、乾燥送風機のファンおよび凝縮送風機のファンは、共に同じ方向に回転することができる。
【００４０】
本発明の衣類乾燥機は、乾燥送風機、乾燥ドラム、凝縮器、凝縮送風機を含み、乾燥送風機の排気口は風道を介して乾燥ドラムの吸気口と通じる。乾燥ドラム、凝縮器、乾燥送風機は、風道を介して順番に通じ、乾燥循環風の通路を形成し、凝縮送風機は凝縮器に温度を低下させる冷風を提供する。乾燥送風機はスクロールケーシングおよびファンを含み、スクロールケーシングの中心軸はファンの中心軸と同軸である。凝縮送風機はスクロールケーシングおよびファンを含み、スクロールケーシングの中心軸はファンの中心軸と同軸である。凝縮モータはドラムモータ、乾燥モータと同一のモータであり、装置の負荷の程度を低下させ、さらにエネルギー消費を低下させる。乾燥ドラム、乾燥送風機のファンおよび凝縮送風機のファンはいずれも正、逆回転することができ、乾燥ドラムが正、逆回転することができるため、乾燥ドラム内の衣類をより効果的に広げることができ、これにより乾燥はより均一で、乾燥効率はより高い。乾燥送風機は乾燥ドラム内に出入りする乾燥循環風に動力を提供し、凝縮送風機は凝縮器に温度を低下させる冷風を提供することにより、乾燥ドラムから出る湿熱の乾燥循環風は凝縮器部分で温度が低下し、湿度が低下する。乾燥送風機および凝縮送風機のスクロールケーシングおよびファンブレードの形状は対称であり、乾燥ドラムが正、逆回転するとき、乾燥送風機はいずれの回転も効果的に動力を提供し、乾燥ドラム内の気体を乾燥循環風の通路を経て循環させることができ、凝縮送風機はいずれの回転も効果的に動力を提供し、衣類乾燥機外の温度が比較的低い空気を凝縮器に流動させることができる。既存の衣類乾燥機中の乾燥送風機および凝縮送風機が、スクロールケーシングおよびファンのインボリュート設計により、正、逆回転するとき、２つの回転方向に効果的な風量を提供することができないようなことはない。
【００４１】
実施例４
本実施例および実施例１、２または３の違いは以下の通りである。
図８、９に示すように、乾燥送風機３におけるスクロールケーシング３１の第２筐体は、底プレートと、底プレートの一側面に取り付けるサイドプレートとを含む。サイドプレートは複数のインボリュート輪郭が接続してなる準円形輪郭を含み、この準円形輪郭に開口が設けられる。開口の両側は外側に向かってそれぞれ平面プレートを有し、２つの平面プレートはそれぞれ開口の両側の準円形輪郭と相接して、Ｕ状輪郭を構成する。２つの平面プレートの間は開口と通じて、スクロールケーシングの排気口を形成し、ファン３２は準円形輪郭内に位置し、ファン３２の中心軸は準円形輪郭の中心における排気口から離れた一側に位置する。すなわちスクロールケーシング３１およびファン３２の間の間隙３３は、Ｕ状輪郭の底部から排気口方向に向かって次第に増大し、より良好な風圧を形成して、循環風の流量を高めることができる。
【００４２】
実施例５
本実施例および実施例３の違いは以下の通りである。
凝縮送風機４におけるスクロールケーシング４１の第２筐体は、底プレートと、底プレートの一側面に取り付けるサイドプレートとを含む。サイドプレートは複数のインボリュート輪郭を接続してなる準円形輪郭を含み、この準円形輪郭に開口が設けられる。開口の両側は外側に向かってそれぞれ平面プレートを有し、２つの平面プレートはそれぞれ開口の両側の準円形輪郭と相接して、Ｕ状輪郭を構成する。２つの平面プレートの間は開口と通じて、スクロールケーシング４１の排気口を形成し、ファン４２は準円形輪郭内に位置し、ファン４２の中心軸は準円形輪郭の中心における排気口から離れた一側に位置する。すなわちスクロールケーシング４１およびファン４２の間の間隙は、Ｕ状輪郭の底部から排気口方向に向かって次第に増大し、より良好な風圧を形成して、循環風の流量を高めることができる。
【００４３】
実施例６
本実施例および実施例３の違いは以下の通りである。
図８、９に示すように、乾燥送風機３におけるスクロールケーシング３１の第２筐体は、底プレートと、底プレートの一側面に取り付けるサイドプレートとを含む。サイドプレートは複数のインボリュート輪郭が接続してなる準円形輪郭を含み、この準円形輪郭に開口が設けられる。開口の両側は外側に向かってそれぞれ平面プレートを有し、２つの平面プレートはそれぞれ開口の両側の準円形輪郭と相接して、Ｕ状輪郭を構成する。２つの平面プレートの間は開口と通じて、スクロールケーシングの排気口を形成し、ファン３２は準円形輪郭内に位置し、ファン３２の中心軸は準円形輪郭の中心における排気口から離れた一側に位置する。すなわちスクロールケーシング３１およびファン３２の間の間隙３３は、Ｕ状輪郭の底部から排気口方向に向かって次第に増大し、より良好な風圧を形成して、循環風の流量を高めることができる。間隙３３はスクロールケーシング３１およびファン３２の間の最も小さい間隙であり、間隙３４はスクロールケーシング３１およびファン３２の間の排気口に近い間隙であり、間隙３３から間隙３４まで、間隙は次第に増大する。
【００４４】
凝縮送風機４におけるスクロールケーシング４１の第２筐体は、底プレートと、底プレートの一側面に取り付けるサイドプレートとを含む。サイドプレートは複数のインボリュート輪郭が接続してなる準円形輪郭を含み、この準円形輪郭に開口が設けられる。開口の両側は外側に向かってそれぞれ平面プレートを有し、２つの平面プレートはそれぞれ開口の両側の準円形輪郭と相接して、Ｕ状輪郭を構成する。２つの平面プレートの間は開口と通じて、スクロールケーシング４１の排気口を形成し、ファン４２は準円形輪郭内に位置し、ファン４２の中心軸は準円形輪郭の中心における排気口から離れた一側に位置する。すなわちスクロールケーシング４１およびファン４２の間の間隙は、Ｕ状輪郭の底部から排気口方向に向かって次第に増大し、より良好な風圧を形成して、循環風の流量を高めることができる。
【００４５】
上記実施例中の実施案はさらに組み合わせるか、または置換することができ、また実施例は本発明の好ましい実施例を説明したに過ぎず、本発明の構想および範囲を限定しない。本発明の設計の発想を逸脱しない前提で、当業者が本発明の技術案に対して行う各種の変更および改良は、いずれも本発明の保護範囲に属する。
【符号の説明】
【００４６】
１  乾燥送風機
１１  スクロールケーシング
１２  ファン
２  凝縮送風機
２１  スクロールケーシング
２２  ファン
３  乾燥送風機
３１  スクロールケーシング
３２  ファン
３３  間隙
３４  間隙
４  凝縮送風機
４１  スクロールケーシング
４２  ファン
５  凝縮器
【図１】
2018531754.tif 000003
【図２】
2018531754.tif 000004
【図３】
2018531754.tif 000005
【図４】
2018531754.tif 000006
【図５】
2018531754.tif 000007
【図６】
2018531754.tif 000008
【図７】
2018531754.tif 000009
【図８】
2018531754.tif 000010
【図９】
2018531754.tif 000011
【国際調査報告】
2018531754.tif 000012
2018531754.tif 000013
2018531754.tif 000014
2018531754.tif 000015